(57)【要約】【課題】筐体の振動及び騒音を低減する。【解決手段】ヒートポンプユニット４０は圧縮機４２を有すると共に、蒸発器４３及び凝縮器４４をユニットダクト４６内に配設して構成されている。乾燥運転時には、凝縮器４４で加熱した空気をユニットダクト４６の一端側から給気口３２に供給し、排気口３１から吐出させて温風戻しダクト５２を介しユニットダクト４６に戻し、蒸発器４３により冷却除湿し、再度凝縮器４４で加熱することを繰り返す。温風戻しダクト５２は、筐体２１の前面部２１ａ裏側に固定し、リントフィルタ５６は水槽２１の前面部２１ａから温風戻りダクト５２内に出し入れ可能に挿入配置される。温風戻りダクト５２とユニットダクト４６との間に蛇腹ダクト５１を設けた。【選択図】図１
2009125453.tif 000002
【特許請求の範囲】
【請求項１】
筐体内に設けられ給気口及び排気口を有する水槽と、
この水槽内に設けられた回転槽と、
前記筐体に弾性支持され、圧縮機を有すると共に、蒸発器及び凝縮器をユニットダクト内に配設して構成されたヒートポンプユニットと、
前記排気口から排気された温風を前記ユニットダクトに戻すための温風戻しダクトとを備え、
前記凝縮器で加熱した空気を前記ユニットダクトの一端側から前記給気口に供給し、前記排気口から吐出させて前記温風戻しダクトを介し前記ユニットダクトに戻し、前記蒸発器により冷却除湿し、再度前記凝縮器で加熱することを繰り返して乾燥を行い、
且つ、前記温風戻しダクトを、前記筐体の前面部裏側に固定し、
前記水槽の前面部から前記温風戻りダクト内に出し入れ可能に挿入配置されるリントフィルタを設けたものにおいて、
前記温風戻りダクトと前記ユニットダクトとの間に振動吸収部を設けたことを特徴とする洗濯乾燥機。
【請求項２】
前記振動吸収部は、発泡材などの柔軟部材を備え、温風戻りダクトと前記ユニットダクトとのうちの一方に柔軟部材が設けられ、他方が該柔軟部材に突き当てられた連通構成となっていることを特徴とする請求項１に記載の洗濯乾燥機。
【発明の詳細な説明】
【技術分野】
【０００１】
本発明はヒートポンプユニットを備えた洗濯乾燥機に関する。
【背景技術】
【０００２】
従来より、ヒートポンプユニットを備えた洗濯乾燥機としては特許文献１、２に示されるものがある。これらのものは、圧縮機を有すると共に、蒸発器及び凝縮器をユニットダクト内に配設して構成されたヒートポンプユニットを洗濯乾燥機の筐体に弾性支持し、前記凝縮器で加熱した空気を前記ユニットダクトの一端側から水槽後部の給気口に供給し、該水槽内及びその内部の回転槽を通し、該水槽前部の排気口から吐出させて温風戻しダクトを介し前記ユニットダクトに戻し、前記蒸発器により冷却除湿し、再度前記凝縮器で加熱することを繰り返して乾燥を行うようにしている。
【０００３】
そして、前記給気口とユニットダクトとの間、また、前記排気口との間には蛇腹状ダクトなどを介在させてヒートポンプユニットの振動が水槽側へ伝播しないようにしている。
ところで、最近の洗濯乾燥機では、前記筐体の前面部から前記温風戻しダクト内に、リントフィルタを出し入れ可能に設けるようにしたものがある。この構成を図５に示す。この図５において、ヒートポンプユニット１は、圧縮機３、蒸発器４及び凝縮器５、さらには送風装置６を配設した一体構造であり、上記蒸発器４、凝縮器５、送風装置６の送風羽根６ａはユニットダクト７により形成された通風路内に位置する。前記支持板１は筐体８の台板９に弾性支持されて配設されている。
【０００４】
このものでは、圧縮機３が運転されると、冷媒が凝縮器５で放熱し、蒸発器４で蒸発し、送風装置６が運転されることにより、前記凝縮器５で加熱した空気を、矢印で示すように、給気ダクト１０、水槽１１の給気口１１ａに供給し、水槽１１内のドラム１２内を通し、水槽１１の排気口１１ｂから吐出させて排気ダクト１２、温風戻しダクト１３からユニットダクト７に戻し、前記蒸発器４により冷却除湿し、再度前記凝縮器５で加熱することを繰り返して乾燥を行うようにしている。そして、前記排気ダクト１２には蛇腹部１２ａが形成され、また、給気ダクト１０にも蛇腹１０ａが形成されている。これにより、ヒートポンプユニット１の振動が水槽１１側へ伝播しないようになっている。
【０００５】
前記ダクトユニット７は、筐体８の前面部８ａの裏側に、ねじ１４により固定されており、この固定部分にリントフィルタ１５が出し入れ可能に配設されており、この場合、前記温風戻しダクト１３内にフィルタ部１５ａが配置され、循環空気（循環温風）のリントなどを捕獲するようになっている。
【特許文献１】特開２００４−１３５７５５号公報
【特許文献２】特開２００７−１３６０５４号公報
【発明の開示】
【発明が解決しようとする課題】
【０００６】
しかし、図５で示したリントフィルタ付洗濯乾燥機の構成では、ヒートポンプユニット１の振動が、リントフィルタ配置のための前記固定部１４Ａを介して筐体８に伝播し、該筐体８が振動し、また騒音が発生したりする不具合があった。
【０００７】
本発明は上述の事情に鑑みてなされたものであり、その目的は、ヒートポンプユニットを備えると共に、筐体前面にリントフィルタを備えたものにおいて、筐体の振動及び騒音を低減できる洗濯乾燥機を提供することにある。
【課題を解決するための手段】
【０００８】
本願請求項１の発明は、筐体内に設けられ給気口及び排気口を有する水槽と、この水槽内に設けられた回転槽と、前記筐体に弾性支持され、圧縮機を有すると共に、蒸発器及び凝縮器をユニットダクト内に配設して構成されたヒートポンプユニットと、前記排気口から排気された温風を前記ユニットダクトに戻すための温風戻しダクトとを備え、前記凝縮器で加熱した空気を前記ユニットダクトの一端側から前記給気口に供給し、前記排気口から吐出させて前記温風戻しダクトを介し前記ユニットダクトに戻し、前記蒸発器により冷却除湿し、再度前記凝縮器で加熱することを繰り返して乾燥を行い、且つ、前記温風戻しダクトを、前記筐体の前面部裏側に固定し、前記水槽の前面部から前記温風戻りダクト内に出し入れ可能に挿入配置されるリントフィルタを設けたものにおいて、前記温風戻りダクトと前記ユニットダクトとの間に振動吸収部を設けたところに特徴を有する。
【０００９】
この請求項１の発明においては、温風戻りダクトと前記ユニットダクトとの間に振動吸収部を設けたから、ヒートポンプユニットの振動が温風戻りダクトから、該温風戻りダクトと筐体との固定部へ伝播すること防止でき、筐体の振動及び騒音の発生を低減できる。
【発明の効果】
【００１０】
本発明は、ヒートポンプユニットを備えると共に、筐体前面にリントフィルタを備えたものにおいて、筐体の振動及び騒音を低減できる。
【発明を実施するための最良の形態】
【００１１】
本発明の第１の実施例について図１ないし図３を参照して説明する。まず、図１には、洗濯乾燥機の全体構成が示されており、外郭を形成してなる筐体２１は、底部を構成する台板２２と、この台板２２に固定された外箱２３とから構成されている。この筐体２１の内部には、水槽２４が配設され、水槽２４の内部には、洗濯物の洗い、脱水、乾燥に用いられる回転槽たるドラム２５が配設されている。
【００１２】
上記水槽２４及びドラム２５は、ともに横軸円筒状をなすもので、前側の端面部にそれぞれの開口部２６，２７を有している。水槽２４の開口部２６は、筐体２１の前面部に形成した洗濯物の出し入れ用の開口部２８にベローズ２９が接続され、又、該筐体２１の開口部２８には扉３０が開閉可能に設けられている。
【００１３】
ドラム２５の周側部（胴部）の略全域には、小孔２５ａが形成されている（一部のみ図示）。小孔２５ａは、洗濯時及び脱水時に通水孔として機能し、乾燥時には通風孔として機能するようになっている。そのほか、ドラム２５の周側部の内面には、洗濯物撹拌用のバッフル２５ｂが複数個設けられている。
【００１４】
前記水槽２４には、前端面の上方部位に排気口３１が形成され、後端面の上方部位に給気口３２が形成されている。このほか、水槽２４の底部の後部には、排水口３３が形成されており、この排水口３３には、水槽２４外で排水弁３４と接続され、更に、排水弁３４に排水ホース３５が接続され、これらにより水槽２４内の水を筐体２１外に排出するようにしている。
【００１５】
前記ドラム２５の後端面（背面）の中心部には、回転軸３６の一端が連結固定され、他端は、水槽２４の後側の端面部の中心部を回転可能に挿通して後方へ突出されている。ドラム２５の後端面には、多数の温風導入孔３７が形成されている。
前記水槽２４の後端面（背面）には、モータ３８が取付けられている。モータ３８は、アウターロータ形であり、更に、この場合、ブラシレスＤＣモータであって、そのロータ３９は前記回転軸３６に連結固定されている。この構成により、ドラム２５は回転軸３６を中心にモータ３８によりダイレクトに回転される。
【００１６】
尚、水槽２４は、複数のサスペンション（図示せず）により筐体２１の台板２２上に弾性支持されており、その支持形態は、水槽２４の軸方向が前後となる横軸状で、しかも前上がりの傾斜状であり、従って、ドラム２５も同形態となっている。
【００１７】
筐体２１の台板２２には、ヒートポンプユニット４０が配設されている。このヒートポンプユニット４０は、支持板４１上に、圧縮機４２、蒸発器４３及び凝縮器４４、さらには送風装置４５を配設した一体構造であり、上記蒸発器４３、凝縮器４４、送風装置４５の送風羽根４５ａはユニットダクト４６により形成された通風路内に位置する。なお、前記送風装置４５は前記送風羽根４５ａと送風モータ４５ｂとから構成されている。
【００１８】
上記ヒートポンプユニット４０の支持板４１は、複数の弾性脚５０により弾性的に前記台板２２上に配設されており、この弾性脚５０は、図２に示すように、ゴムなどの弾性体５０ａと取付ねじ５０ｂとを有している。そして、弾性体５０ａは、ヒートポンプユニット４０の底板部の嵌合孔４０ａに嵌合された形態であり、取付ねじ５０ｂを該弾性体５０ａのねじ通し孔５０ｃを通して、台板２２のねじ孔２２ａにねじ込むことで、弾性脚５０として機能する。
【００１９】
前記ヒートポンプユニット４０のユニットダクト４６の前端部には前向きに接続ダクト部４６ａが形成され、後端部には上向きの接続ダクト部４６ｂが形成されている。前側の接続ダクト部４６ａは、振動吸収部に相当する蛇腹ダクト５１の一端部が着脱可能に接続され、この蛇腹ダクト５１の他端部は温風戻しダクト５２の一端部に接続されている。
【００２０】
この温風戻しダクト５２はほぼＬ字状をなしており、水平状部分５２ａの一端部が前記蛇腹ダクト５１の前記他端部に接続されている。この温風戻しダクト５２の垂直状部分５２ｂは、前記筐体２１の前面部２１ａの裏側に位置している。
そして、この温風戻しダクト５２の他端部である垂直状部分５２ｂの他端部は、排気ダクト５３を介して前記排気口３１に接続されている。前記排気ダクト５３における前記温風戻しダクト５２近傍には、蛇腹部５３ａが設けられている。
【００２１】
また、前記ユニットダクト４６の後側の接続ダクト部４６ｂは、給気ダクト５４を介して前記給気口３２に接続されている。この給気ダクト５４における接続部４６ｂ近傍部には蛇腹部５４ａが設けられている。
これらユニットダクト４６、蛇腹部５４ａ、給気ダクト５４、給気口３２、水槽２４内（ドラム２５内）、排気口３１、排気ダクト５３、蛇腹部５３ａ、温風戻しダクト５２、蛇腹ダクト５１により、温風循環路５５が形成されている。
【００２２】
前記前記筐体２１の前面部２１ａにリントフィルタ５６が取り出し可能に挿入配置されており、このリントフィルタ５６及びこれに関連する構成について述べる。図３において、前記筐体２１の前面部２１ａには若干内方に窪む凹部５７が形成されており、該凹部５７の底部５７ａ（図面では垂直状の板部）の中央部にはほぼ矩形状の挿入口５７ｂが形成されている。そして、この底部５７ａの隅部と前記温風戻しダクト５２とがねじ５８ａ及びボス５８ｂからなるダクト固定手段５８により離間状態で固定されている。
【００２３】
この温風戻しダクト５２において前記挿入口５７ｂと対向する部分には、開口６０が形成されている。さらに、該温風戻しダクト５２において、この開口６０と対向する部分には外側に膨出する形状の保持凹部５２ａが形成されている。
【００２４】
リントフィルタ５６は、表板６１と、この表板６１の裏面に設けられた閉鎖部材６２と、この閉鎖部材６２の後部に水平状に連結されたフィルタ部６３とを有して構成されている。このリントフィルタ５６は、前記挿入口５７ｂ及び開口６０を通して温風戻しダクト５２内に挿入され、このときフィルタ部６３の後端部が前記保持凹部５２ａに挿入保持される。そして、前記閉鎖部材６２が前記挿入口５７ｂ及び開口６０を機密に閉鎖する。なお、前記表板６１には図示しないが手掛け可能になっており、この表板６１を引き操作することによりリントフィルタ５６を取り出せるようになっている。
【００２５】
また、図１に示すように、前記温風戻しダクト５２は、取付脚６２ａ及びねじ６２ｂからなる第１の取付手段６２により筐体２１の台板２２に支持固定されていると共に、前記リントフィルタ５６の下方部において、ねじ６３ａ及びボス６３ｂからなる第２の取付手段に６３より前記筐体２１の前面部２１ａに連結固定されている。またヒートポンプユニット４０のユニットダクト４６の底部には除湿水排水のためのドレン口６４、ドレンポンプ６５、ドレン管６６などが設けられている。なお、ドレン管６６は排水ホース５３に接続される。
【００２６】
さて、上記構成において、乾燥運転時には、ドラム２５が回転されると共に、送風装置４５が運転され、さらに圧縮機４２が運転される。該圧縮機４２が運転されると、圧縮機４２内の冷媒が圧縮されて吐出され、凝縮器５で放熱し、蒸発器４で蒸発する。そして、送風装置４５が運転されることにより、温風循環路５５を図１の矢印で示すように循環する。このとき、循環空気が前記凝縮器４４で加熱されて、水槽２４内（ドラム２５内）に供給され、この際にドラム２５内の洗濯物の乾燥に寄与し、水槽２４の排気口３１から出て、前記蒸発器４３により冷却除湿され、再度前記凝縮器４４で加熱されることが繰り返えされる。
【００２７】
また、上記温風循環路５５を循環する空気（温風）に含まれるリントなどは、リントフィルタ５６のフィルタ部６３により捕獲される。
このような乾燥運転時においては、前記ヒートポンプユニット４０の圧縮機４２が運転されることなどにより、該ヒートポンプユニット４０が振動するが、水槽２４側への振動伝播は、蛇腹部５２ａ、５４ａにより低減され、また、筐体２１下部側への振動伝播は前記弾性脚５０により低減される。
【００２８】
そして、本実施例によれば、このヒートポンプユニット４０の振動が、筐体２１の前面部２１ａに伝播することも低減できる。すなわち、このヒートポンプユニット４０のユニットダクト４６と、温風戻しダクト５２との間には、振動吸収部たる蛇腹ダクト５１が設けられているから、この温風戻しダクト５２に振動が伝播することを低減でき、従って、この温風戻しダクト５２と固定関係にある筐体２１前面部２１ａも振動することがなく、筐体２１が振動したり騒音を発生したりすることがない。
【００２９】
また、本実施例によれば、前記温風戻しダクト５２を取付脚６２ａ及びねじ６２ｂからなる第１の取付手段６２により筐体２１の台板２２に支持固定すると共に、ねじ６３ａ及びボス６３ｂからなる第２の取付手段に６３より前記筐体２１の前面部２１ａに連結固定したから、温風戻しダクト５２の取付強度を向上させることができ、リントフィルタ５６部分の固定部分の破損を防止できる。すなわち、本実施例のように、温風戻しダクト５２が４６に対して蛇腹ダクト５１を介して接続された形態であると、温風戻しダクト５２がリントフィルタ５６部分のねじ５８固定だけでは、脱水時の振動により、該温風戻しダクト５２が振動して、ダクト固定手段５８のボス５９が破損したり、ユーザーがリントフィルタ５６を出し入れする際に該ダクト固定手段５８が破損したりするおそれがあるが、本実施例では、上述の第１の取付手段６２及び第２の取付手段６３により、上述の破損を有効に防止することができる。
【００３０】
なお、この場合、固定手段としては第１の取付手段６２及び第２の取付手段６３のいずれか一方だけでも良い。
図４は本発明の第３の実施例を示しており、この実施例においては、振動吸収部の構成が前記第１の実施例と異なる。この第２の実施例においては、振動吸収部として、発泡材例えば独立気泡形のスポンジなどの柔軟部材７１を備えて構成されている。この場合、温風戻しダクト５２の一端部全周にはコ字型の保持部７２が形成されており、この保持部７３全周に柔軟部材７１が一部突出する形態で嵌入されて設けられている。そして、ユニットダクト４６の接続ダクト部４６ａ先端全周が突き当てられて連通されている。
【００３１】
この第２の実施例によれば、コンパクトな構成でありながら、ヒートポンプユニット４０から温風戻しダクト５２への振動伝播を低減できる。さらに、ヒートポンプユニット４０のユニットダクト４６が温風戻しダクト５２に対して突き当て構成となっているから、筐体２１後部の図示しない点検蓋を外して、前記第１の固定手段６２及び第２の固定手段６３や、その他水槽２４との連結部分（ドレン管６６など）を分離すれば、ヒートポンプユニット４０を容易に後方へ抜き出すことが可能となり、ヒートポンプユニット４０の保守点検が容易となる。
なお、この場合、ユニットダクト４６に柔軟部材７１を設け、温風戻しダクト５２が該柔軟部材７１に突き当てられた形態としても良い。
また振動吸収部としては、柔軟な部材であれば良い。
【図面の簡単な説明】
【００３２】
【図１】本発明の第１の実施例を示す洗濯乾燥機の縦断側面図
【図２】弾性脚部分の拡大縦断側面図
【図３】リントフィルタ部分の拡大縦断側面図
【図４】本発明の第２の実施例を示す図１相当図
【図５】従来例を示す図１相当図
【符号の説明】
【００３３】
図面中、２１は筐体、２２は台板、２３は外箱、２４は水槽、２５はドラム（回転槽）、３１は排気口、３２は給気口、３８はモータ、４０はヒートポンプユニット、４１は支持板、４２は圧縮機、４３は蒸発器、４４は凝縮器、４５は送風装置、５０は弾性脚、５１は蛇腹ダクト（振動吸収部）、５５は温風循環路、５６はリントフィルタ、５８はダクト固定手段、６２は第１の取付手段、６３は第２の取付手段、７１は柔軟部材（振動吸収部）を示す。
【図１】
2009125453.tif 000003
【図２】
2009125453.tif 000004
【図３】
2009125453.tif 000005
【図４】
2009125453.tif 000006
【図５】
2009125453.tif 000007